(57)【要約】【課題】耕耘された土壌の表面を、ローラが転動しながら滑らかに均平化して均平精度を高め、その後に行われる播き床や植え床など、作物の栽培に必要な作業を行い易い状態にすることを課題とする。【解決手段】ロータリカバー１６の後端部にリヤカバーａを連結し、該リヤカバーａをロータリカバー１６とともに耕耘軸を中心に前後回動自在に構成したロータリ耕耘機２において、上記リヤカバーａの後端部幅方向にローラＲを配設し、該ローラＲをリヤカバーａの左右両端部に形成した側板２７、２７を介して遊転自在に軸支した。【選択図】　　図３
2004024115.tif 000002
【特許請求の範囲】
【請求項１】
ロータリカバーの後端部にリヤカバーを連結し、該リヤカバーをロータリカバーとともに耕耘軸を中心に前後回動自在に構成したロータリー耕耘機において、上記リヤカバーの後端部幅方向にローラを配設し、該ローラをリヤカバーの左右両端部に形成した側板を介して遊転自在に軸支したことを特徴とするロータリ耕耘機のリヤカバー構造。
【発明の詳細な説明】
【０００１】
【発明の属する技術分野】
本発明は、ロータリ耕耘機のリヤカバー構造に係り、詳しくは、耕耘作業時にロータリカバーとともに耕耘軸を中心に前後回動操作して深耕、標準耕、浅耕等作業条件に適応した深耕を検出するリヤカバーの後端部にローラを配設し、該ローラを転動させることにより、耕耘された土壌の表面を均平化して作物の生育環境を整え、その後に行われる播き床や植え床など、作物の栽培に必要な作業を行い易い状態にすることができるロータリ耕耘機のリヤカバー構造に関するものである。
【０００２】
【従来の技術】
ロータリ耕耘機のロータリカバーの後端部に連結される従来のリヤカバーの構造は、図４（Ａ）に示すように、リヤカバーａの中央部位より下端部位に至る側面視形状が大きな湾曲状ｂに形成され、耕耘された土壌の表面を撫でるようにして均平化を図っていたが、適度に湿った土壌や土質によっては、トラクタの前進走行に伴って表面の土壌が引きずれらて小さい割れｃが発生し、表面が綺麗に仕上げることができず、このため、その後に行われる播き床や植え床など作物の栽培に必要な作業が容易にできないという不具合があった。
【０００３】
また、従来のリヤカバーａの側面視形状の加工は、平鉄板をプレス加工によって形成していたので、加工歪みが生じて幅方向の芯直度を出すのが困難で、横方向に多少のうねりがあるため均平ムラができ、土壌の表面が綺麗に仕上がらず、前記同様の不具合があった。
【０００４】
【発明が解決しようとする課題】
本発明は上記のような実状に鑑み、従来の不具合を一掃すべく創案されたものであって、その意図するところは、図４（Ｂ）に示すように、リヤカバーａの側面視形状を緩やかな「くの字状」ｂに形成し、その下端部にローラＲを配設したことにより、耕耘された土壌の表面をローラＲが転動しながら均平化することができ、その後に行われる播き床や植え床など、作物の栽培に必要な作業を行い易いような状態にすることができるロータリ耕耘機のリヤカバー構造を提供することを課題とするものである。
【０００５】
【課題を解決するための手段】
上記課題を解決するため、本発明が採用した技術手段は、ロータリカバーの後端部にリヤカバーを連結し、該リヤカバーをロータリカバーとともに耕耘軸を中心に前後回動自在に構成したロータリー耕耘機において、上記リヤカバーの後端部幅方向にローラを配設し、該ローラをリヤカバーの左右両端部に形成した側板を介して遊転自在に軸支したことを特徴とするものである。
【０００６】
【発明の実施の形態】
本発明の実施の形態を添付図面に基づいて詳細に説明する。図１ないし図３において、１はトラクタ、２はトラクタ１の後部に装着された三点リンク支持機構Ａによって連結されたロータリ耕耘機であって、上記三点リンク支持機構Ａは、トラクタ１の後部に突設されたトップリンクブラケット３に連結されたトップリンク４と、該トップリンク４の下方に位置してトラクタ１の後部に突設された左右一対のロアリンク５、５とによって構成され、トップリンクブラケット３の上方に位置してトラクタ１の後部に突設されたリフトアーム６と前記ロアリンク５、５との間にリフトロット７、７が連結されて、ロータリ耕耘機２がトラクタ１に対して昇降自在に構成されている。
【０００７】
上記ロータリ耕耘機２は、機体の中央部にギヤケース８が固設され、その上部には側面視略Ｖ字状に形成された左右一対のプレート９ａ、９ａを所要の間隔を存して連結してなるトップマスト９が固定されている。該トップマスト９は、その前方側上部がトップリンク４に設けたオートヒッチ１０に連結されており、後部側上部には図示しない尾輪や畦立器などを装着するためのツールバー１１が調節装置１２を介して上下角度調節自在に支持されている。
【０００８】
１３は機体の一側に配設されたチェンケースであって、該チェンケース１３はギヤケース８から左右に延設したアーム１４の一端に固設されており、該チェンケース１３とアーム１４の他端に固定されたサイドプレート（図示省略）とによって耕耘爪１５を装着した耕耘軸（図示省略）が支持され、該耕耘軸はチェンケース１３に内装した伝動機構により回転駆動されるようになっている。
【０００９】
１６は耕耘軸に装着した耕耘爪１５の回転軌跡の上方を覆うロータリカバーであって、該ロータリカバー１６は側面視円弧状に形成した天板１６ａと、その左右両側に形成した側板１６ｂとからなり、更に側板１６ｂの後端部に補助側板１６ｃの前端部が重合状に連結されており、後述するように、耕耘軸を中心に前後回動自在に構成されている。
【００１０】
すなわち、ロータリカバー１６の回動構成は、トップマスト９のプレート９ａ、９ａの内側下部に、下端部をギヤケース８に軸支して前後回動するリンクアーム１７を設け、該リンクアーム１７の上端部とロータリカバー１６の中央部に設けたブラケット１８とをロッド１９で連結させるとともに、操作レバー２０をリンクアーム１７に前後回動自在に軸支し、更にトップマスト９一側に設けたレバーガイド２１のガイド孔（図示省略）を貫通させて外側に突出させて構成し、該操作レバー２０を前後に操作することにより、ロータリカバー１６を前後任意の位置に固定できるようになっている。
【００１１】
上記ロータリカバー１６の後端部には、耕深を検出するリヤカバーａが連結されており、該リヤカバーａは平面視が略横長の長方形で、側面視が緩やかな「くの字状」ｂに形成された平鉄板を母体とし、前端部の左右端部にロータリカバー１６の後端部に連結する鉄パイプ２２、２２を固定し、中間部に左右一対の補強リブ２３、２３を縦方向に固定するとともに、該補強リブ２３、２３にプレート２４、２４を固定し、該プレート２４、２４とロータリカバー１６の天板１６ａの後部に固設した左右一対のブラケット２５、２５との間に吊りロッド２６、２６を連結して支持されており、操作レバー２０の前後操作によりロータリカバー１６とともに前後回動するようになっている。
【００１２】
上記リヤカバーａの左右両端部には側板２７、２７が形成されており、該側板２７、２７の後端部にはローラＲの取付側板２８、２８が緊締具３１、３１を介して延設され、該取付側板２８、２８にはベアリング２９、２９およびベアリングホルダー３０、３０が緊締具３２を介して取付けられ、ローラＲはベアリング２９、２９間に回転自在に軸支されている。
【００１３】
叙上の構成において、トラクタ１の後部にロータリ耕耘機２を装着して耕耘作業を行うにあたっては、標準耕、浅耕、深耕など作業条件に適応した耕深を検出すう位置にリヤカバーａを調節する。リヤカバーａの調節は、作業者がトラクタ１に搭乗したまま操作レバー２０を前後方向へ操作するのみで、簡単に行うことができる。
【００１４】
例えは、図１に示すようにリヤカバーａが標準耕に適応した耕深を検出する位置に調節されている場合に、操作レバー２０をガイド孔に沿って後方へ操作すると、リンクアーム１７が後方へ回動し、ロッド１９を介してロータリカバー１６を耕耘軸周りに後方へ回動させて、リヤカバーａの下端部を下動させ、リヤカバーａは浅耕に適応した耕深を検出する位置に調節することができる。
【００１５】
一方、操作レバー２０をガイド孔に沿って前方へ操作すると、リンクアーム１７が前方へ回動し、ロッド１９を介してロータリカバー１６を耕耘軸周りに前方へ回動させて、リヤカバーａの下端部を上動させ、リヤカバーａは深耕に適応した耕深を検出する位置に調節することができる。
【００１６】
そこで、トラクタ１の動力取出軸Ｐから伝達される動力により、ロータリ耕耘機２のギヤケース８を介して耕耘爪１５を軸支した耕耘軸が回転されると、土壌は耕耘爪１５により耕起・砕土され、通気性、保水性、透水性など、作物の生育環境が改善される。
【００１７】
その際、トラクタ１の前進走行に伴って耕耘された土壌の表面は、リヤカバーａの後端部（下端部）に遊転自在に軸支したローラＲの転動により、順次滑らかに均平化されるうえ、ローラＲは円筒パイプで形成されているので、加工が簡単で芯直度の精度も向上させることができる。したがって、従来のリヤカバーａによる均平作業のように、土壌の表面が引きずられて小さい割れｃが発生するような不具合がなく、綺麗に仕上げることができ、その後に行われる播き床や植え床など、作物の栽培に必要な作業が容易に行えるような状態にすることができる。
【００１８】
【発明の効果】
これを要するに本発明は、ロータリカバーの後端部にリヤカバーを連結し、該リヤカバーをロータリカバーとともに耕耘軸を中心に前後回動自在に構成したロータリ耕耘機において、上記リヤカバーの後端部幅方向にローラを配設し、該ローラをリヤカバーの左右両端部に形成した側板を介して、遊転自在に軸支してなるものであるから、土壌の通気性、保水性、透水性など、作物の育成に好適な条件を確保するために耕起・砕土された土壌の表面をローラの転動により均平化して、従来のリヤカバーによる均平作業のように、土壌の表面が引きずられたり、割れが発生したりすることがなく、滑らかな状態に仕上げて均平精度を高めることができ、その後に行われる播き床や植え床など、作物の栽培に必要な作業を行い易い状態にすることができる効果を奏する。
【図面の簡単な説明】
【図１】トラクタの後部にロータリ耕耘機を標準耕の状態に装着した全体側面図
【図２】リヤカバーの平面図
【図３】リヤカバーの後端部に軸支したローラの断面図
【図４】（Ａ）は従来のリヤカバーの側面図
（Ｂ）は本発明のリヤカバーの側面図
【符号の説明】
１　　トラクタ
２　　ロータリ耕耘機
８　　ギヤケース
９　　トップマスト
１３　チェンケース
１５　耕耘爪
１６　ロータリカバー
１７　リンクア−ム
１９　ロッド
２０　操作レバー
２３　補強リブ
２４　プレート
２６　吊りロッド
２７　側板
２８　取付側板
ａ　　リヤカバー
Ｒ　　ローラ
【図１】
2004024115.tif 000003
【図２】
2004024115.tif 000004
【図３】
2004024115.tif 000005
【図４】
2004024115.tif 000006